(57)【要約】【課題】  妊婦にとって歩きやすいインソールを提供する。【解決手段】  インソール２０は、妊婦の足を載置する載置部２１と、妊婦の踵を囲むように載置部２１に連続して設けられ、載置部２１に妊婦が足を置いたとき、妊婦の踵に近づくように移動する壁部２２，２３とを備える。【選択図】      図２
2007044428.tif 000002
【特許請求の範囲】
【請求項１】
妊婦の足を載置する載置部と、
妊婦の踵を囲むように前記載置部に連続して設けられ、前記載置部に妊婦が足を置いたとき、妊婦の踵に近づくように移動する壁部とを備える、インソール。
【請求項２】
前記載置部の高さを変更可能である、請求項１に記載のインソール。
【請求項３】
請求項１に記載のインソールが挿入された妊婦用靴。
【請求項４】
妊婦の足を載置する載置部と、
妊婦の踵を囲むように前記載置部に連続して設けられ、前記載置部に妊婦が足を置いたとき、妊婦の踵に近づくように移動する壁部とを備える、妊婦用靴。
【請求項５】
つま先を載置する部分を同一に保ちながら、踵を載置する部分の高さを複数段階に調節するためのインソールを備える、請求項４に記載の妊婦用靴。
【発明の詳細な説明】
【技術分野】
【０００１】
この発明はインソールおよび妊婦用靴に関し、特に、妊婦の踵を保持するインソールおよび妊婦用靴に関する。
【背景技術】
【０００２】
妊婦はホルモンのバランスが変化し、腹部が突出し、骨盤の支持靱帯や結合組織が弛緩し、体幹が後傾し、骨盤がゆがんでくる。妊婦は、このような体型になると、通常の靴では履きにくくなる。
【０００３】
このような妊婦にとっても履きやすい靴が、たとえば特開平１１−１１３６０９号公報（特許文献１）に開示されている。
【０００４】
特許文献１に開示された靴においては、靴のヒール部分に、外側後端部と、内側後端部によって覆われる踵覆い部を設け、外側後端部には留め具と、その留め具掛けを有したバンドを設け、これが内側後端部に設けたバンド通しを通って、折り返されることで、ちょうど留め具で固定できる位置に来るようになっている。
【特許文献１】特開平１１−１１３６０９号公報（段落番号０００４）
【発明の開示】
【発明が解決しようとする課題】
【０００５】
従来の、妊婦にとっても履きやすい靴は、上記のように構成されていた。靴の脱ぎ履きの際に、ベルトを緩めたり、締めたりすることで、靴の着脱を容易にしていた。しかしながら、このような構成だけでは、妊婦にとって履きやすいとしても、歩きやすいものではなかった。
【０００６】
というのは、妊婦は、骨盤の両脚を支持する部分に胎児を保持するために、股関節が開いてくる。これによって、重心位置が通常より外側に位置し、いわゆる、がに股形状になり、歩行時には足の外側に力がかかるようになる。しかしながら、従来の靴は、それに対する対処がなされていないためである。また、インソールを用いて対処することも可能であるが、従来そのようなインソールは存在しなかった。
【０００７】
この発明は、上記のような課題に鑑みてなされたもので、妊婦にとって歩きやすい、インソールおよび妊婦用靴を提供することを目的とする。
【課題を解決するための手段】
【０００８】
この発明にかかるインソールは、妊婦の足を載置する載置部と、妊婦の踵を囲むように載置部に連続して設けられ、載置部に妊婦が足を置いたとき、妊婦の踵に近づくように移動する壁部とを備える。
【０００９】
載置部に妊婦が足を置いたとき、壁部が妊婦の踵に近づくように移動するため、インソールの上に足を載置すれば、妊婦の踵部が壁部にしっかりと保持される。したがって、妊婦は、インソールによってしっかり保持された状態で歩行できる。
【００１０】
その結果、妊婦にとって歩きやすいインソールを提供できる。
【００１１】
好ましくは、載置部の高さは変更可能である。
【００１２】
さらに好ましくは、妊婦用靴には、上記のインソールが挿入されている。
【００１３】
この発明の他の局面によれば、妊婦用靴は、妊婦の足を載置する載置部と、妊婦の踵を囲むように載置部に連続して設けられ、載置部に妊婦が足を置いたとき、妊婦の踵に近づくように移動する壁部とを備える。
【００１４】
載置部に妊婦が足を置いたとき、壁部が妊婦の踵に近づくように移動するため、靴底に足を載置すれば、妊婦の踵部が壁部にしっかりと保持される。したがって、妊婦は、靴によってしっかり保持された状態で歩行できる。
【００１５】
その結果、妊婦にとって歩きやすい妊婦用靴を提供できる。
【００１６】
好ましくは、妊婦用靴は、つま先を載置する部分を同一に保ちながら、踵を載置する部分の高さを複数段階に調節するためのインソールを備える。
【発明を実施するための最良の形態】
【００１７】
以下、この発明の一実施の形態を図面を参照して説明する。図１は、この発明の一実施形態にかかる妊婦の靴用のインソール（左足用）を示す平面図であり図１（Ｂ）は図１（Ａ）において、Ｂ-Ｂで示す側面図である。
【００１８】
図１を参照して、インソール１０は、載置部１１と、載置部１１の側部および踵部に、妊婦の踵を囲むように設けられた内側壁部１２、外側壁部１３および踵側壁部１４とを含む。載置部１１のつま先側には、逆Ｔ字形状の隆起部１７が設けられている。この隆起部１７によって、妊婦は靴への踏み込みが容易になり、かつ、足の位置決めが容易になる。
【００１９】
図１（Ｂ）を参照して、インソール１０の高さは、つま先側の厚さａ３＝1〜２ｍｍであり、踵側でａ１＝７〜８ｍｍである。また、各壁部１２〜１４の高さは、ａ２＝ａ１＋１０ｍｍ以上である。このように、各壁部１２〜１４の高さを高くしたため、妊婦がベタ足で歩行しても、踵をしっかりと保持できるため、妊婦は安定した歩行が可能になる。また、このようなインソール１０を妊婦用の靴の内部に設けることにより、妊婦の足が靴の中でずれることはなくなり、妊婦は安心して歩行できる。
【００２０】
次に、インソールの他の実施の形態について説明する。図２は、妊婦用靴の中にインソール２０をしいた場合の断面図である。この断面図は、図１において、矢印ＩＩ−ＩＩで示す部分の断面図である（但し、図１においては、妊婦用靴は省略している）。この実施の形態のインソール２０は、二重構造になっており、内部に空胴を有している。空胴は、載置部２１の下部に設けられた空胴２１ａと、妊婦用靴の内側側皮部１５と外側側皮部１６の近傍に位置する内側および外側壁部２２、２３の内部に設けられた空胴２２ａ，２３ａとを含み、それぞれの空胴２１ａ〜２３ａは相互に接続されている。また、空胴２１ａ〜２３ａには、適宜通気穴２５ａ、２５ｂが設けられている。
【００２１】
なお、ここで、内側とは、足の親指の存在する側をいい、外側はその反対側をいう。
【００２２】
このような構成のインソール２０の載置部２１に妊婦が足を置くと（図中矢印Ａで示す）、空胴２１ａの空気が壁部２２，２３の空胴２２ａ，２３ａに移動し、それによって、内側及び外側の壁部２２，２３の先端部がそれぞれ、図中矢印ＢおよびＣで示す方向に移動する。その結果、妊婦の足は壁部２２，２３によって、よりしっかり保持される。また、身体の衝撃を最も感じる踵部に空気層を構成する空胴を設けたため、着地時の衝撃吸収が可能になる。なお、図示は省略しているが、踵部側にも同様に空胴が設けられている。
【００２３】
妊婦が靴を脱いだ後、壁部２２，２３が靴の内側および外側の側皮部１５，１６から靴の中央部に倒れ込むと、次に妊婦が靴を履きにくくなる。そこで、この実施の形態においては、このような事態を避けるために、上記した通気穴２５ａ，２５ｂを設けておき、妊婦が靴を脱いだ後は、速やかに、空洞２１ａ〜２３ａに空気が充填されるようにしている。
【００２４】
なお、この空胴の設置位置は、妊婦の足の踵を適切に保持できる位置に適宜設ければよい。
【００２５】
このように、足を降ろすことによって、空胴の空気が逃げて、踵部の衝撃を吸収でき、足を上げれば空気が空胴に再度充填されるため、妊婦は楽に歩行ができる。
【００２６】
また、この実施の形態においては、インソール２０の載置部２１のみならず、壁部２２，２３にも空胴を設けた例に付いて説明したが、これに限らず、載置部２１のみに設けても良い。
【００２７】
次に、インソールのさらに他の実施の形態について説明する。図３は、この実施の形態におけるインソールの図２に対応する断面図である。この実施の形態のインソール３０は、載置部３１の上部と、載置部３１に連続した内側および外側の壁３２，３３の内部にそれぞれ、空胴３１ａ〜３３ａを有している。空胴３１ａ〜３３ａは、相互に接続チューブ３５，３６で接続されている。また、空胴３１ａ〜３３ａには、先の実施の形態と同様に、適宜、通気穴が設けられていてもよい。
【００２８】
この実施の形態に係るインソール３０においても、妊婦が足を載置部３１上に載置すると（図中矢印Ａ）、その下部の空気が空胴３２ａ，３３ａに伝達され、空胴３２ａ，３３ａが図中矢印Ｂ，Ｃに示すように膨張して、妊婦の歩行時の衝撃を吸収し、足の踵を保持する。
【００２９】
次に、インソールのさらに他の実施の形態について説明する。図４は、この実施の形態におけるインソールの図２に対応する断面図である。この実施の形態のインソール４０は、全体が弾性を有し、変形は可能であるが、復元性を有する材質で構成されている。したがって、妊婦が足を載置部４１の上に置くと（図中矢印Ａ）、それによって、載置部４１に連続した内側および外側の壁４２，４３が、それぞれ、矢印Ｂ，Ｃで示す方向に移動して、妊婦の足の踵をしっかりと保持する。また、妊婦が載置部４１から足を外すと、元の形状に戻る。
【００３０】
上記実施の形態においては、インソールに踵を包み込む機能を持たせ、これを妊婦用靴に適用する例について説明したが、これに限らず、この機能を、妊婦用靴の底部、内側および外側の側皮部および踵部に設けてもよい。
【００３１】
すなわち、妊婦用靴が、妊婦の足を載置する載置部と、妊婦の踵を囲むように載置部に連続して設けられ、載置部に妊婦が足を置いたとき、妊婦の踵に近づくように移動する壁部とを備えるようにしてもよい。
【００３２】
この場合の一例を図５に示す。図５は図２に対応する、インソールが収容された妊婦用靴の断面図である。この例では、図１に示したような、空胴部の存在しない、通常のインソール５０が靴に収容されている。靴底５１に空胴５２が設けられ、靴の内側側皮部１５と外側側皮部１６の近傍にそれぞれ空胴５５、５６が設けられる。空胴５２と空胴５５、５６とは、接続チューブ５３，５４で接続されている。この構成においても、インソール５０の上に妊婦が足を置くと（図中矢印Ａで示す）、空胴５２の空気が空胴５５、５６に移動し、それによって、インソール５０の内側及び外側の壁部５０ａ，５０ｂの先端部がそれぞれ、図中矢印ＢおよびＣで示す方向に移動する。その結果、上記と同様の効果が得られる。なお、図示は省略しているが、適宜通気孔が設けられている。
【００３３】
次にさらに他の実施の形態について説明する。図６は、この発明のさらに他の実施の形態を示すインソールの側面図であり、基本的に、図１（Ｂ）に対応する。この実施の形態においては、インソール６０は、そのつま先側を除く三方向に壁部６１を有し、つま先の厚さａ４は、図２の場合と同様の１〜２ｍｍであり、踵側の厚さａ５はａ４プラス約１０ｍｍである。
【００３４】
このインソール６０の足の載置面６２の上の壁部６１の内部には、厚さａ７＝約１０ｍｍの補助インソール６３を着脱自在に取付け可能である。また、ここで、ａ６＝ａ５＋ａ７＋１０ｍｍ以上とするのが好ましい。
【００３５】
このように、インソール６０の内部にインソール６３を着脱自在に設けると、インソールにおける足の載置部の高さを変更することが可能になり、次のような効果が得られる。すなわち、妊婦は妊娠初期から８ヶ月頃までは、重心が後ろになるのでインソールの踵部の厚さはつま先部と比べて、約２０ｍｍ高いのが好ましい。しかしながら、臨月近くになると、その厚さの差は約１０ｍｍ程度であるのが好ましい。このように、インソール６０の内部に補助インソール６３を着脱自在に設けて、足の載置部の高さを変更可能にすれば、妊婦の妊娠月齢に応じて踵部の高さの調整が可能になる。
【００３６】
なお、この実施の形態においても、上記実施の形態に示すように、インソールの内部に空洞を設けてもよい。
【００３７】
また、上記実施の形態においては、インソールを妊婦用靴に用いた場合について説明したが、これに限らず、子供用の靴に適用してもよい。
【００３８】
また、上記実施の形態においては、左足用のインソールについて説明したが、右足用も同様である。
【００３９】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００４０】
この発明にかかる、インソールは、踵をしっかり保持できるため、妊婦にとって歩きやすいインソールとして有利に利用される。
【図面の簡単な説明】
【００４１】
【図１】妊婦用靴に使用されるインソールを示す図である。
【図２】妊婦用靴にインソールを挿入したときの、インソールの作動を示す図である。
【図３】インソールの他の実施の形態を示す断面図である。
【図４】インソールのさらに他の実施の形態を示す断面図である。
【図５】靴底に空胴を設けた場合の靴の断面を示す図である。
【図６】インソールのさらに他の実施の形態を示す側面図である。
【符号の説明】
【００４２】
１０，２０，３０，４０，５０，６０  インソール、１１，２１、３１，４１  載置部、１２，２２，３２，４２  内側壁部、１３，２３，３３，４３  外側壁部、１４  踵側壁部、１５内側側皮部、１６  外側側皮部、１７  隆起部、２１ａ〜２３ａ，３１ａ〜３３ａ  空胴、２５  通気穴。
【図１】
2007044428.tif 000003
【図２】
2007044428.tif 000004
【図３】
2007044428.tif 000005
【図４】
2007044428.tif 000006
【図５】
2007044428.tif 000007
【図６】
2007044428.tif 000008